(57)【要約】【課題】  注射針柄を結合する密閉度がよく、取り外しやすい安全注射器を提供する。【解決手段】  注射器２前端の注射針差し込み座２２の内壁に凸状体２３を設ける。注射針セット４の注射針柄４１の上周縁面に、両端に開口４４１を呈し二つの開口４４１近傍の高いところから中央の低いところまで下向きに傾く誘導溝４４を設ける。注射針柄４１を一定の角度で回転させると、誘導溝４４の両端の任意の開口４４１から凸状体２３が誘導され、誘導溝４４の最も低いところに位置付けされることにより、注射針柄４１を下から上へ注射針差し込み座２２の内壁面に押し付けることができる。さらに、注射針柄４１がプランジャー３により回転させられた場合、誘導溝４４は凸状体２３に沿い移動し、注射針柄４１を下向きに押し、注射針セット４を筒状本体２１内に引き戻すことを可能にする。【選択図】    図３
2006068347.tif 000002
【特許請求の範囲】
【請求項１】
中空の筒状本体と筒状本体の前端部に形成される注射針差し込み座とを有する注射器と、
棒状本体と、本体前端に装着されるストッパーと、ストッパーの前端面に突出するように設けられる嵌合体とを有するプランジャーと、
中空の注射針柄と注射針柄の前端に位置付けされる針用カニューレを有し、前記注射針柄の底縁が前記嵌合体に向かい合い、それを嵌めるための嵌合溝を有する注射針セットとを備え、
前記注射器前端の注射針差し込み座の内壁には、一つ以上の凸状体を有し、
注射針セットの注射針柄の周縁には、前記注射針差し込み座の内壁における凸状体に対応する誘導溝を有し、
誘導溝は両端が開口を呈し、注射針柄の上周縁面に位置付けされ、二つの開口の高いところから中央の低いところまで下向きに傾く位置決め部を形成することで、注射針柄の誘導溝の両端の任意の開口から凸状体を誘導し、一定の角度で回転させ、凸状体を誘導溝の位置決め部の最も低いところにおける位置決め部に位置付けし、注射針柄を下から上へ注射針差し込み座の内壁面に押し付けることを可能にし、かつ注射針柄がプランジャーにより時計回りまたは反時計回りのいずれかの一つの方向に回転させられた場合、誘導溝は凸状体に沿い移動し、注射針柄を下向きに押し、誘導溝の一つの開口により凸状体から分離させ、注射針セットを筒状本体内に引き戻すことを特徴とする安全注射器の注射針の位置決め装置。
【請求項２】
注射器前端の注射針差し込み座の内壁面は、上が狭く下が広い円錐形を呈し、注射針セットの注射針柄の周縁は上が狭く下が広い円錐形を呈し、かつその結合面が押出したり引き戻したりするための斜面形態を呈することを特徴とする請求項１に記載の安全注射器の注射針の位置決め装置。
【請求項３】
プランジャーの嵌合体と注射針柄の嵌合溝は、円錐形を呈し、かつ少なくとも片側に平面を有することを特徴とする請求項１に記載の安全注射器の注射針の位置決め装置。
【請求項４】
注射針差し込み座の内壁面の凸状体は、左右二つ対称に形成されることを特徴とする請求項１に記載の安全注射器の注射針の位置決め装置。
【請求項５】
注射針柄の誘導溝は、左右二つ対称に形成されることを特徴とする請求項１に記載の安全注射器の注射針の位置決め装置。
【請求項６】
誘導溝は、上向きの弧形を呈することを特徴とする請求項５に記載の安全注射器の注射針の位置決め装置。
【請求項７】
誘導溝は、Ｖ字型を呈することを特徴とする請求項５に記載の安全注射器の注射針の位置決め装置。
【請求項８】
注射針差し込み座の前端には、制止用の環状面を有し、環状面の内縁にはスプリングを有することを特徴とする請求項１に記載の安全注射器の注射針の位置決め装置。
【発明の詳細な説明】
【技術分野】
【０００１】
本発明は、安全注射器に関し、特に両端開口の上向きの弧状またはＶ字型を呈する誘導溝により、押出したり引き戻したりするための斜度で下から上へ緊密に結合し位置決めすることを可能にし、かつプランジャーを時計回りまたは反時計回りのいずれか一つの方向に回転させることにより注射針セットを下向きに押し、筒状本体の内部に引き戻すことを可能にする安全注射器に関するものである。
【背景技術】
【０００２】
一般の注射器は注射液が押出された後、捨てられる。医療人員または清掃員が針用カニューレに刺されることがよくあるため、注射が完了した後の注射針をプランジャーとともに注射器の内部に引き戻し、回転の力により前端の針用カニューレを湾曲させ、壊すことを可能にする安全注射器が特許文献１から特許文献２５に開示されている。
【０００３】
また、特許文献２６に開示されている安全注射器は図１に示すように、筒状本体１１の前端に注射針差し込み座１２を有し、注射針差し込み座１２の内壁に位置決めするための凸状体１２１を二つ有し、凸状体１２１に向かい合う注射針柄１３の外縁面にＬ型係止溝１３１を有することで、図２（Ａ）に示すように注射針柄１３を筒状本体１１の底面から上向きに挿入し注射針差し込み座１２の内壁に装着することを可能にするものである。
【０００４】
しかし、上述の構造の欠点は下記の二点がある。
一つは、Ｌ型係止溝１３１と凸状体１２１を嵌合する場合、凸状体１２１がＬ型係止溝１３１の水平端の端部を密封するところに位置するため、プランジャー１４を上に押し、前端の挿入体１４１を注射針柄１３の底縁の係止溝１３２に嵌めるには、時計回りまたは反時計回りの特定方向に回転させ、Ｌ型係止溝１３１の底縁を凸状体１２１から分離させる必要がある。したがって、使用者は方向を間違え、注射針柄１３を注射針差し込み座１２中から取り出せないことが発生する。
【０００５】
もう一つは、注射針柄１３と注射針差し込み座１２の結合面１５は平面を呈する。結合面１５が緊密に結合されないと、注射液が外に漏れる恐れがあるため、図２（Ｂ）に示すように、注射針柄１３を回転させＬ型係止溝１３１の底端と分離させ、取り出すには、力を入れてプランジャー１４により注射針柄１３を下向きに引っ張って引き戻すより仕方がない。したがって使用しにくいという問題が発生する。
【０００６】
そのほかには、Ｌ型係止溝により注射針柄を位置決めする先行特許案は、特許文献２７に開示されている。また、ねじ山構造により注射針柄を位置決めする先行特許案は、特許文献２８から特許文献３２に開示されている。さらに、係止または圧迫方法により注射針柄を位置決めする先行特許案は、特許文献３３から特許文献４１に開示されている。
【０００７】
上述の先行特許案はそれぞれの特徴及び主張が異なるものであったが、注射針柄と注射器が緊密に結合されるが引き戻しにくいという問題か、引き戻し易いが結合度があまりよくなく、注射液がよく漏れるという問題のいずれかが発見された。したがって、周知の安全注射器は改善の余地がある。
【０００８】
【特許文献１】中華民国特許公報第１８９４３６号
【特許文献２】中華民国特許公報第３５６０１３号
【特許文献３】中華民国特許公報第４６３６３９号
【特許文献４】中華民国特許公報第４１４０８５号
【特許文献５】中華民国特許公報第３８４７０９号
【特許文献６】中華民国特許公報第３５９６２１号
【特許文献７】中華民国特許公報第４９２３２８号
【特許文献８】中華民国特許公報第４６７７５２号
【特許文献９】中華民国特許公報第４７５４４９号
【特許文献１０】中華民国特許公報第４８０１８５号
【特許文献１１】中華民国特許公報第４９７９７６号
【特許文献１２】中華民国特許公報第４３０５６５号
【特許文献１３】中華民国特許公報第４７１３２２号
【特許文献１４】中華民国特許公報第３３２４３３号
【特許文献１５】中華民国特許公報第３９４０２７号
【特許文献１６】中華民国特許公報第４４７３１０号
【特許文献１７】アメリカ合衆国特許第５，３８５，５５７号
【特許文献１８】アメリカ合衆国特許第４，７４７，８３０号
【特許文献１９】アメリカ合衆国特許第４，６７７，９８０号
【特許文献２０】アメリカ合衆国特許第５，２４２，４００号
【特許文献２１】アメリカ合衆国特許第４，９８６，８１３号
【特許文献２２】アメリカ合衆国特許第４，９４７，８６３号
【特許文献２３】アメリカ合衆国特許第５，５３３，９７５号
【特許文献２４】アメリカ合衆国特許第５，１７１，３００号
【特許文献２５】アメリカ合衆国特許第４，９４４，７２３号
【特許文献２６】アメリカ合衆国特許第５，２７３，５４３号
【特許文献２７】アメリカ合衆国特許第５，５３３，９７０号
【特許文献２８】アメリカ合衆国特許第４，９４４，７２３号
【特許文献２９】アメリカ合衆国特許第４，９７８，３４０号
【特許文献３０】アメリカ合衆国特許第５，１７１，３００号
【特許文献３１】アメリカ合衆国特許第４，９４７，８６３号
【特許文献３２】アメリカ合衆国特許第４，９８６，８１３号
【特許文献３３】中華民国特許公報第４９２３２８号
【特許文献３４】中華民国特許公報第３５６０１３号
【特許文献３５】中華民国特許公報第３５９６２１号
【特許文献３６】中華民国特許公報第４６３６３９号
【特許文献３７】アメリカ合衆国特許第５，２４２，４００号
【特許文献３８】アメリカ合衆国特許第４，７４７，８３０号
【特許文献３９】アメリカ合衆国特許第５，０９８，３９０号
【特許文献４０】アメリカ合衆国特許第５，３７０，６１９号
【特許文献４１】アメリカ合衆国特許第４，９１１，６９３号
【発明の開示】
【発明が解決しようとする課題】
【０００９】
本発明の主な目的は、注射針柄を結合する密閉度がよく、取り外しやすい安全注射器を提供することにある。
本発明のもう一つの目的は、注射針柄を注射針差し込み座に結合する場合、押出したり引き戻したりするための斜度原理及び、上向きの弧型またはＶ字型を呈しかつ両端が開口である誘導溝により、極めてよい密閉度を得ることである。
本発明のさらにもう一つの目的は、上向きの弧状またはＶ字型の誘導溝により任意の方向に回転しても、注射針柄を速やかに下向きに押すことを可能にし、かつ使用者の手間を減少させるという効果を達成することである。
【課題を解決するための手段】
【００１０】
上述の目的を達成するために、本発明の技術手段は、注射器前端の注射針差し込み座の内壁に一つ以上の凸状体を有し、注射針セットの注射針柄の周縁に前述の注射針差し込み座の内壁面に対応する誘導溝を有し、誘導溝の両端が開口を呈しかつ注射針柄の上周縁面に位置付けされ、二つの開口の高いところから中央の低いところまで下向きに傾き位置決め部を形成することで、注射針柄を一定の角度で回転させると、誘導溝の両端の任意の開口から凸状体を誘導し、凸状体を誘導溝の最も低いところにおける位置決め部に位置付けし、注射針柄を下から上へ注射針差し込み座の内壁面に押し付けることを可能にし、かつ注射針柄がプランジャーにより時計回りまたは反時計回りのいずれか一つの方向に回転させられた場合、誘導溝は凸状体に沿い移動し、注射針柄を下向きに押し、誘導溝の一つの開口により凸状体から分離させ、注射針セットを筒状本体内に引き戻すことを可能にするものである。
【００１１】
また、注射器前端の注射針差し込み座の内壁面は、上が狭く下が広い円錐形を呈し、注射針セットの注射針柄の周縁は上が狭く下が広い円錐形を呈し、かつその結合面が押出したり引き戻したりするための斜面形態を呈することで、注射針柄を下から上へ位置決めするには、回せば回すほど結合度が高まり、引き戻すには力をあまり要らず分離させ易いという長所がある。
【発明を実施するための最良の形態】
【００１２】
図３に示すように、本発明の一実施例による安全注射器の注射針の位置決め装置は、注射器とプランジャーと注射針セットとを備える。注射器２は、中空の筒状本体２１及び前端部に形成される注射針差し込み座２２を有し、注射針差し込み座２２の内壁には凸状体２３を有する。凸状体２３は図面に示すように左右対称が好ましい。プランジャー３は、棒状本体３１と、前端に装着されるストッパー３２と、ストッパー３２の前端面に突出するように設けられる嵌合体３３とを有し、そのうちの嵌合体３３が円錐形を呈し、かつ少なくとも一側に平面３３１を有する。注射針セット４は、中空の注射針柄４１と注射針柄の前端に位置付けされる針用カニューレ４２を有し、注射針セット４は針用カニューレ４２と注射針柄４１の一体成形により構成されるか、または図４に示すように二つの独立の構造体の組立てにより構成される。この部分は周知の技術であるため詳しい説明を省く。また図４に示すように、注射針柄４１の外周縁には必要に応じゴム４５を装着してもよい。
【００１３】
図３、図５及び図６に示すように、各実施例の注射針差し込み座２２の内壁面には凸状体２３を二つ有し、注射針柄４１は凸状体２３に対応する誘導溝４４を有し、誘導溝４４は両端が開口４４１を呈し、注射針柄４１の上周縁面に位置付けされ、二つの開口４４１のある高いところから中央の低いところまで下向きに傾き、位置決め部４４２を形成する。
前述の誘導溝４４は、図７（Ａ）に示すように上向きの弧状を呈しても図７（Ｂ）に示すようにＶ字型を呈してもよい。この二つの共通点は、両端の高いところが開口４４１で、中央の低いところまで下向きに傾き、位置決め部４４２を形成するということである。
【００１４】
図８は注射針柄４１を注射針差し込み座２２の内壁面に装着した後の断面図である。注射針柄４１は、凸状体２３が誘導溝４４の両端の任意の開口４４１から誘導されると一定の角度で回転させられ、凸状体２３が誘導溝４４の最も低いところにおける位置決め部４４２に位置されることで、注射針柄４１は下から上へ注射針差し込み座２２の内壁面に押し付けされる。ここで、注射針差し込み座２２と注射針柄４１は上が狭く下が広い円錐形を呈し、注射針柄４１と注射針差し込み座２２の内壁面は押出したり引き戻したりするための斜面形態を呈してもよい。これにより、装着の便利を図り、結合面の密閉度を高めることが可能である。
【００１５】
図９は本実施例の使用状態を示す断面図である。筒状本体２１内の注射液はプランジャー３の圧迫により針用カニューレ４２から押出される。
【００１６】
図１０は注射液が押出された後の断面図である。プランジャー３は筒状本体２１に挿入され、嵌合体３３は注射針柄４１の底縁の嵌合溝４３に挿入される。嵌合体３３と嵌合溝４３は円錐形を呈し、かつ少なくとも一側に平面３３１、４３１を有するため、挿入し組み立てる場合、図１１の拡大断面図に示すように嵌合される。そしてプランジャー３は図１２（Ａ）に示すように時計回りに回転しても、図１２（Ｂ）に示すように反時計回りに回転しても、注射針柄４１を駆動し、注射針差し込み座２２内で回転することが可能であるのに対し、誘導溝４４は位置決め部４４２から凸状体２３に沿い移動し、下向きの圧迫力を形成し、注射針柄４１を下向きに押し、誘導溝４４の右側または左側の開口４４１により凸状体２３から分離し、図１３に示すように注射針セット４を筒状本体２１内部にスムーズに引き戻す。
【００１７】
また、図１４に示すように、注射針差し込み座２２の前端に制止用の環状面２２１を有し、環状面２２１の内縁と注射針柄４１の間にスプリング２４を有してもよい。これにより、注射針柄４１を下向きに移動させる場合、スプリング２４の弾性力により注射針柄４１を下向きにし、筒状本体２１の内部にスムーズに引き戻すことが可能である。
【００１８】
以上のように、本発明の各実施例による安全注射器の注射針の位置決め装置によれば、両端が開口である上向きの弧状またはＶ字型の誘導溝４４を用いるものであるため、使用者は注射針を引き戻す場合、任意の方向からプランジャー３を回しても注射針柄４１が自動的に下向きに押される。さらに、押出したり引き戻したりするための斜度設計により、注射針柄を組立てる時、密閉度がよくなり、かつスムーズに下向きに引き戻すことが可能であるため、使い易くなり、使用者の手間を減少させるという目的を達成可能である。
【００１９】
上述の説明から、本発明により掲示される技術手段は、新規性、進歩性、産業上の利用価値などの特許請求の要素がそろっていると考えられる。
また上述の説明は本発明の比較的好ましい実施例に過ぎないため、本発明の請求範囲に基づき均等な変化と修飾をするのは、本発明の範囲に属するべきである。
【図面の簡単な説明】
【００２０】
【図１】周知の注射器の分解立体図である。
【図２Ａ】図１の組立てた後の部分的な断面図である。
【図２Ｂ】図２（Ａ）のプランジャーの引き戻しを示す断面図である。
【図３】本発明の一実施例に係る注射器の分解立体図である。
【図４】本発明の他の実施例による注射器の分解立体図である。
【図５】本発明の一実施例に係る注射針柄の構造を示す斜視図である。
【図６】図５の平面図である。
【図７Ａ】本発明の一実施例に係る誘導溝を示す図である。
【図７Ｂ】誘導溝の他の実施例を示す図である。
【図８】注射針柄を注射針差し込み座に装着した後の断面図である。
【図９】本発明の一実施例に係る注射器の使用状態を示す断面図である。
【図１０】図９の注射液が押出された後の断面図である。
【図１１】図１０の１１−１１線に沿う拡大断面図である。
【図１２Ａ】プランジャーが注射針柄を時計回りに回し下向きに引き戻すことを示す断面図である。
【図１２Ｂ】プランジャーが注射針柄を反時計回りに回し下向きに引き戻すことを示す断面図である。
【図１３】注射針セットを筒状本体の内部に引き戻すことを示す断面図である。
【図１４】本発明のさらに他の実施例の注射針差し込み座を示す断面図である。
【符号の説明】
【００２１】
２  注射器、２１  筒状本体、２２  注射針差し込み座、２２１  環状面、２３  凸状体、２４  スプリング、３  プランジャー、３１  棒状本体、３２  ストッパー、３３  嵌合体、３３１  平面、４  注射針セット、４１  注射針柄、４２  針用カニューレ、４３  嵌合溝、４３１  平面、４４  誘導溝、４４１  開口、４４２  位置決め部、４５  ゴム
【図１】
2006068347.tif 000003
【図２Ａ】
2006068347.tif 000004
【図２Ｂ】
2006068347.tif 000005
【図３】
2006068347.tif 000006
【図４】
2006068347.tif 000007
【図５】
2006068347.tif 000008
【図６】
2006068347.tif 000009
【図７Ａ】
2006068347.tif 000010
【図７Ｂ】
2006068347.tif 000011
【図８】
2006068347.tif 000012
【図９】
2006068347.tif 000013
【図１０】
2006068347.tif 000014
【図１１】
2006068347.tif 000015
【図１２Ａ】
2006068347.tif 000016
【図１２Ｂ】
2006068347.tif 000017
【図１３】
2006068347.tif 000018
【図１４】
2006068347.tif 000019